(57)【特許請求の範囲】
【請求項１】
間仕切パネルの前面にブラケットもしくは脚板を介して机天板を支持させ、且つ間仕切パネルの前面と机天板の後縁との間に適宜隙間を形成し、該隙間を塞ぐように配置する長手のカバー体を、その上面側において、軟質性のカバー片と、硬質性の天板部とが相隣接し、机天板の後縁に沿って長手に形成し、
前記天板部には、前記隙間の前後方向に隔てられた一対の係合足が一体的に下向きに突設され、
前記机天板の後端部には、前記カバー体を着脱自在に支持するための支持体を設け、
該支持体には、基板と、該基板から上向きに形成して、前記カバー体における前後一対の係合足を机天板の前後方向への移動を阻止するための、前記隙間の前後方向に隔てられた一対の取付け部とを備え、且つ前記一対の係合足と前記一対の取付け部との机天板の前後方向の位置関係を、前記カバー片の自由端縁が机天板の後縁に対峙するカバー体の取付け姿勢と間仕切パネルの前面に対峙するカバー体の取付け姿勢とに、カバー体を前後向き取付け変更可能となるように構成したことを特徴とする机天板付き間仕切装置。
【請求項２】
前記カバー体におけるカバー片と天板部との両幅寸法の和が前記隙間寸法に略等しくなるように形成し、
前記天板部から突設する係合足を、前記間仕切パネルの前面と机天板の後縁との隙間内に位置するように前後一対にして設け、前記支持体における前後一対の取付け部の間に前記一対の係合足を前記隙間の上方から押し込み可能に構成されていることを特徴とする請求項１に記載の机天板付き間仕切装置。
【請求項３】
前記一対の係合足の下端部には、爪部が外向きに形成されており、該両爪部が前記支持体における前記一対の取付け部に対して係脱するように構成されていることを特徴とする請求項２に記載の机天板付き間仕切装置。
【発明の詳細な説明】
【０００１】
【発明の属する技術分野】
本発明は、オフィス等に用いる机天板付きの間仕切装置の構造に関するものである。
【０００２】
【従来の技術】
従来からオフィス等に用いる机天板付きの間仕切装置にあっては、例えば、実開昭６３
−１０８３４５号公報や実公平１−２７７０２号公報に開示されているように、間仕切パネルの前面（表面）の前方にブラケットもしくは脚板を介して机天板を支持させると共に、該机天板の後縁と間仕切パネルの前面との隙間を可撓性のカバー体にて塞ぐように構成し、且つこのカバー体の箇所からＯＡ機器等の配線用のコード（ケーブルともいう、以下同じ）を机天板上まで引き出せるように構成することが知られている。
【０００３】
【発明が解決しようとする課題】
しかしながら、前記の前者の先行技術に用いられているカバー体は、横断面上向きコ字状のコード受けダクト（コード収納用樋）における前後の長手縁に、軟質ゴムからなる断面中空状の前後一対のコード挟持体の各根元部を装着したものであるから、前記コード受けダクトを取付け姿勢を前後逆にして机天板の後端に装着しても、前記前後一対のコード挟持体で挟持し、且つ引き出されるコードの位置を前後に変更することができなかった。また、後者の先行技術では、間仕切パネルの前面と机天板の後縁との隙間を、奥スペーサと軟質部材のカバー体にて塞ぐものであり、奥スペーサは上面が開口した樋状で、その長手方向の両端を取付け部材を介して、間仕切パネルの両端を支持する支柱の縦溝孔に係合させるものであり、奥スペーサとカバー体とを隙間の幅の前後で配置替えすることができなかった。しかして、前記隙間のうち机天板の後縁に近い側を机天板の上面と同様の物品載置部として機能させることができなかった。
【０００４】
しかも、前記両先行技術では、前記軟質部材のカバー体の根元部を、コード受けダクトもしくは机天板の後縁に固定するものであるから、例えば、机天板の後縁の部分にクランプを着脱自在に取付けることができず、そのため該クランプを介して電気スタンドを装着するというような使用形態を採用できないという問題があった。
【０００５】
本発明は、このような従来の問題点を解決すべくなされたものであって、配線用のコードの引き出し位置を間仕切パネルに近い側と机天板の後縁に近い側とに簡単に交換可能な配線用のカバー体を備えた机天板付き間仕切装置を提供することを目的とするものである。
【０００６】
【課題を解決するための手段】
前記目的を達成するため、請求項１に記載の発明の机天板付き間仕切装置は、間仕切パネルの前面にブラケットもしくは脚板を介して机天板を支持させ、且つ間仕切パネルの前面と机天板の後縁との間に適宜隙間を形成し、該隙間を塞ぐように配置する長手のカバー体を、その上面側において、軟質性のカバー片と、硬質性の天板部とが相隣接し、机天板の後縁に沿って長手に形成し、前記天板部には、前記隙間の前後方向に隔てられた一対の係合足が一体的に下向きに突設され、前記机天板の後端部には、前記カバー体を着脱自在に支持するための支持体を設け、該支持体には、基板と、該基板から上向きに形成して、前記カバー体における前後一対の係合足を机天板の前後方向への移動を阻止するための、前記隙間の前後方向に隔てられた一対の取付け部とを備え、且つ前記一対の係合足と前記一対の取付け部との机天板の前後方向の位置関係を、前記カバー片の自由端縁が机天板の後縁に対峙するカバー体の取付け姿勢と間仕切パネルの前面に対峙するカバー体の取付け姿勢とに、カバー体を前後向き取付け変更可能となるように構成したものである。
【０００７】
また、請求項２に記載の発明は、請求項１に記載の机天板付き間仕切装置において、前記カバー体におけるカバー片と天板部との両幅寸法の和が前記隙間寸法に略等しくなるように形成し、前記天板部から突設する係合足を、前記間仕切パネルの前面と机天板の後縁との隙間内に位置するように前後一対にして設け、前記支持体における前後一対の取付け部の間に前記一対の係合足を前記隙間の上方から押し込み可能に構成されているものである。
【０００８】
そして、請求項３に記載の発明は、請求項２に記載の机天板付き間仕切装置において、前記一対の係合足の下端部には、爪部が外向きに形成されており、該両爪部が前記支持体における前記一対の取付け部に対して係脱するように構成されているものである。
【０００９】
【発明の実施の形態】
次に、本発明を具体化した実施形態について図面を参照しながら説明する。図１は間仕切装置の平面図、図２は間仕切装置の一部切欠き斜視図、図３は間仕切装置の一側端の側面図、図４は要部拡大側面図、図５は間仕切装置の構成部品の斜視図、図６はカバー体の取付け箇所の平面図である。
【００１０】
図示実施例では、オフィスに適用する間仕切装置は複数の間仕切パネル１とその前面及び後面のいずれか一方もしくは双方の面に水平に突設した机天板６（及びコーナ机天板７）とにより構成されている。間仕切パネル１は自立可能な枠体２と、その前後面に着脱自在に取付けられるパネル５とにより構成され、正面視矩形の中空状の枠体２における左右両側の支柱部３は連結用のボルト１５及び連結ブロック１６を介して横並び状に連結されており、各支柱部３の前後面には、上下に所定間隔にて、取付け孔４が穿設されている。該取付け孔４に対して、パネル５の裏面に取付けられた係合爪（図示せず）を嵌合させて、枠体２の前後面に上下方向に複数枚のパネル５が着脱可能に張り付けられている。なお、枠体２を図１に示すように、平面視Ｌ字状に連結することにより自立可能であり、図１の右端部には、机天板６の側縁に沿うように幅の狭いパネル５が前後面に着脱可能に張り付けられた枠体（図示せず）を連結することにより、間仕切装置の自立安定性を向上させている。
【００１１】
さらに、図２及び図３に示すように、机天板６の一方の側縁が間仕切パネル１から離れて開放されている箇所には、安定板兼用の脚体１４を、枠体２の支柱部３からほぼ直角に突出するように取付け金具１７を介して着脱自在に装着しておくことが好ましい。
【００１２】
間仕切パネル１の前後面に装着される机天板は、図１、図２に示すように横並びに連設される。通常の平面視矩形状の机天板６の他、間仕切パネル１のコーナ部に配置されるコーナ机天板７等がある。前記机天板６やコーナ天板７の下面左右両側部位を支持するための側面視略三角形状のブラケット１０は、その後端から突出させた上下複数の係止爪９を、前記枠体２における支柱部３の前後面角部に上下方向に一定間隔で穿設された係止孔８に係合させることにより、間仕切パネル１の前方または後方に突出させる。
【００１３】
ブラケット１０の上端の水平板部１０ａには、机天板６（コーナ天板７）の下面に取り付けたボルト１２の頭部が嵌まり、且つ机天板６（コーナ天板７）を奥方向（パネル５方向に押し込むとき前記ボルト軸のみが嵌まって前記頭部が抜け不能となる平面視ダルマ状の係合孔１１が穿設されている（図５及び図６参照）。また、左右に隣接するブラケット１０，１０の先端側の上面間を、連結板１３を介して隣接する机天板６，６及びコーナ机天板７の下面にネジ止めすると（図６参照）、並設された机天板６及びコーナ机天板７のガタツキがなくなり、且つ各机天板６をパネル５から離れるようにブラケット１０から取り外すことも不能とする。
【００１４】
上述のように、間仕切パネル１の前面に机天板６及びコーナ机天板７を装着する場合、当該間仕切パネル１の前面と机天板６及びコーナ机天板７の後縁との間には、所定寸法（Ｈ１）の隙間を形成しておく（図１、図２、図３及び図６参照）。そして、この隙間を塞ぐように、合成樹脂製の長いカバー体２０を机天板６及びコーナ机天板７に対して支持体２１を介して着脱可能に装着する。以下は机天板６の箇所を代表例として説明する。カバー体２０は、図５、図７（ａ）及び図７（ｂ）に示すように、硬質性の天板部２２と軟質性のカバー片とを一体的に押出成形により形成したものであり、例えば、天板部２２はＡＢＳ樹脂の素材を使用し、カバー片２３はスチレン系エラストマー等の熱可塑性樹脂を使用する。
【００１５】
カバー体２０における天板部２２には、係合部としての前後一対の係合足２４、２４が一体的に下向きに突設され、かつ係合足２４の長さはカバー体の長さと同じとする突条のものである。各係合足２４、２４の下端部には外向きの爪部２４ａが形成されている。カバー片２３は略板状に形成され、その基端は前記天板部２２の上面とほぼ同一平面となるように水平状に突出している。
【００１６】
前記カバー体２０を支持するための支持体２１は金属板製で、基板２１ａを机天板６の下面にネジ２５止めする。また、基板２１ａの左右両側部から上向きに屈曲形成した前後対の取付け部２６、２６は前記一対の係合足２４、２４を外側から囲んで机天板６の前後方向への移動（位置ずれ）を阻止するように構成されている。したがって、カバー体２０の前後対の係合足２４，２４を支持体２１の前後対の取付け部２６、２６の間に上から押し込むと、カバー体２０の合成樹脂材自体の撓みにて前後対の係合足２４、２４の下端間の寸法が一旦窄まり、両爪部２４ａ、２４ａが取付け部２６、２６の係合爪部の下方にて上向きに抜け難い状態に装着できる。
【００１７】
前記前後対の取付け部２６、２６の外側間の寸法を前記隙間の寸法Ｈ１と略等しくなるように設定したときには、各取付け部２６の外側の縁から内側の縁までの寸法Ｈ２を等しくなるように設定する一方、前記カバー体２０の幅寸法の半分の位置を前後方向へのセンター位置とし、該センター位置から各係合足２４、２４の外側縁までの寸法を等しくなるように設定する。これにより、カバー体２０をその前後の向きを逆にして支持体２１に装着したとき、即ち、天板部２２がパネル５の前面に接近し、カバー片２３の自由端縁が机天板６の後縁と対峙する姿勢（図７（ａ）参照）と、逆にカバー片２３の自由端縁がパネル５の前面と対峙し、天板部２２が机天板６の後縁に接近（隣接）した姿勢（図７（ｂ）参照）とに、カバー体２０の取付け姿勢を切り換えるときにも、支持体２１の取付け位置を変更することなく、且つ隙間の前後方向にずれないでカバー体２０を装着できる。
【００１８】
机天板６の後縁に、照明器具のためのスタンドや、机天板６の上面を前後方向に延びるように立設する仕切板を倒れないようにするために、クランプを机天板６の後縁側で、当該机天板６の下面と上面と跨がるようにして固定する等、机天板６の後縁に物品を装着するときには、前述のようにカバー片２３の自由端縁が机天板６の後縁に向かうようにカバー体２０の取付け姿勢を採用すれば、可撓性を有するカバー片２３の自由端が前記物品と干渉せず、且つ前記隙間のほぼ全長にわたって略均一に塞ぐことができる。また、配線用のコードを机天板６の後縁に近い側から引き出すこともできる。
【００１９】
前記と逆に、天板部２２が机天板６の後縁に隣接し、且つ当該天板部２２の上面が机天板６の上面とほぼ同一平面状となるようにカバー体２０を装着すると、机天板６の作業面の奥行き寸法が天板部２２の幅寸法だけ広がることになる。なお、図７に示すように、天板部２２の幅寸法Ｈ３をカバー片２３の幅寸法Ｈ４より大きく設定した場合には、前記机天板の作業面の奥行き寸法の増加量を簡単に大きくすることができる。天板部２２の幅寸法Ｈ３と、カバー片２３の幅寸法Ｈ４とを異なるように設定しておけば、当該カバー体２０の取付け姿勢を容易に確認することができる。
【００２０】
机天板６の左側または右側の縁が側方から見える箇所では、図５に示すような端キャップ２７における枠状の係止突起２７ａを、前記カバー体２０における前後対の係合足２４、２４の内側に嵌合して、端キャップ２７にてカバー体２０の端部を塞ぎ、外観を向上させることができる。机天板６の下面奥寄り部位には、上向き開放の樋状のケーブルダクト２８をビス等で固定することにより、机天板６上のＯＡ機器との配線用コードがカバー片２３の自由端縁を介して上下に挿通するとき、配線用コードの途中の余り部を垂れ下がる
ことなく受けて収納することが簡単にできる。
【００２１】
図８に示す他の実施形態としてのカバー体２０は、前述のような係合足２４，２４を一体的に備えた硬質材料（例えば、ＡＢＳ樹脂）からなる天板部２２に対して、軟質材料（例えば、オレフィン系エラストマー）のカバー片２９を着脱可能に装着した形態であり、カバー片２９は偏平な筒状に形成され、その基端の係合突条部２９ａを、天板部２２側の係合溝３０に嵌め入れるのである。従って、カバー片２９が長期間の使用にてへたり、不都合な永久変形を起こした場合等にカバー片２９のみを取り替えることができる。
【００２２】
なお、間仕切パネル１における枠体２の中空部に配線用コードを挿通することができると共に、枠体２の中途高さ位置に前記配線用のコードを受ける配線ダクトを横長に設け、この配線ダクトから間仕切パネル１の前面又は後面にコードを引き出せるように、上下に複数枚配置されるパネル５の上下間に隙間を形成し、該隙間を塞ぐように配線引き出しカバーを装着するようにしても良い。
【００２３】
前記カバー体２０はコーナ机天板７の後縁と間仕切パネル１との隙間に、前記各実施態様と同様にして配置できることはいうまでもない。従って、本発明においては、机天板とはコーナ机天板７を含む意味である。
【００２４】
【発明の効果】
以上に詳述したように、請求項１に記載の発明の机天板付き間仕切装置は、間仕切パネルの前面にブラケットもしくは脚板を介して机天板を支持させ、且つ間仕切パネルの前面と机天板の後縁との間に適宜隙間を形成し、該隙間を塞ぐように配置する長手のカバー体を、その上面側において、軟質性のカバー片と、硬質性の天板部とが相隣接し、机天板の後縁に沿って長手に形成し、前記天板部には、前記隙間の前後方向に隔てられた一対の係合足が一体的に下向きに突設され、前記机天板の後端部には、前記カバー体を着脱自在に支持するための支持体を設け、該支持体には、基板と、該基板から上向きに形成して、前記カバー体における前後一対の係合足を机天板の前後方向への移動を阻止するための、前記隙間の前後方向に隔てられた一対の取付け部とを備え、且つ前記一対の係合足と前記一対の取付け部との机天板の前後方向の位置関係を、前記カバー片の自由端縁が机天板の後縁に対峙するカバー体の取付け姿勢と間仕切パネルの前面に対峙するカバー体の取付け姿勢とに、カバー体を前後向き取付け変更可能となるように構成したものである。
【００２５】
この構成により、前記カバー体の天板部には、前記隙間の前後方向に隔てられた一対の係合足が一体的に下向きに突設され、前記支持体には、基板と、該基板から上向きに形成して前記カバー体における前後一対の係合足を机天板の前後方向への移動を阻止するための、前記隙間の前後方向に隔てられた一対の取付け部とを備えているから、カバー体における可撓性を有するカバー片の箇所から配線用のコードの引き出しができるものでありながら、机天板の後端部に設けられた支持体に対するカバー体の取付けの向きを前後に反転するという姿勢変更するだけで、配線用のコードの引き出し位置を間仕切パネルに近い側と机天板の後縁に近い側とに至極簡単に交換できる。したがって、カバー片の自由端が机天板の後縁と対峙するように配置したときには、机天板の後縁にクランプ等の物品を装着しても邪魔にならず、逆に机天板の後縁に隣接してカバー体の天板部を配置するようにすると机天板の奥行き寸法を簡単に増大させることができて、作業面を増加させて各種の作業性を向上させることができるという効果を奏する。
【００２６】
また、請求項２に記載の発明は、請求項１に記載の机天板付き間仕切装置において、前記カバー体におけるカバー片と天板部との両幅寸法の和が前記隙間寸法に略等しくなるように形成し、前記天板部から突設する係合足を、前記間仕切パネルの前面と机天板の後縁との隙間内に位置するように前後一対にして設け、前記支持体における前後一対の取付け部の間に前記一対の係合足を前記隙間の上方から押し込み可能に構成されているものである。従って、カバー体の取付け姿勢を簡単に判別できる。また天板部とカバー片の両幅寸法の和が前記隙間寸法に略等しくなるように形成したものであるから当然に、前述のようにカバー体の取付け姿勢を逆にしても隙間を塞ぐことができる。そして、机天板に対する支持体の取付け位置を変更することなく、且つ隙間の前後方向にずれないでカバー体を装着できるという効果を奏する。
【００２７】
そして、請求項３に記載の発明は、請求項２に記載の机天板付き間仕切装置において、前記一対の係合足の下端部には、爪部が外向きに形成されており、該両爪部が前記支持体における前記一対の取付け部に対して係脱するように構成されているものである。
【００２８】
このように、硬質材料からなる天板部の下面側に突設した前記一対の係合足の下端部には、爪部が外向きに形成されていることにより、机天板側に設けた支持体の一対の取付け部への着脱箇所が強固になり、不用意にカバー体が外れないという効果を奏する。
【図面の簡単な説明】
【図１】  間仕切装置の平面図である。
【図２】  間仕切装置の一部切欠き斜視図である。
【図３】  図２の III−III 線矢視側面図である。
【図４】  図３の要部拡大側面図である。
【図５】  間仕切装置等の部品を示す一部切欠き斜視図である。
【図６】  間仕切パネルと机天板との隙間を示す一部切欠き平面図である。
【図７】  （ａ）は可撓性を有するカバー片を机天板の後縁に対峙させた場合のカバー体の装着状態を示す側断面図、（ｂ）は天板部を机天板の後縁に接近させた場合のカバー体の装着状態を示す側断面図である。
【図８】  カバー体の他の実施形態の側断面図である。
【符号の説明】
１      間仕切パネル
２      枠体
３      支柱部
５      パネル
６      机天板
１０      ブラケット
１４      脚板
２０      カバー体
２１      支持体
２２      天板部
２３      カバー片
２４，２４    係合足
２５      ねじ
２６，２６    取付け部
２８          ケーブルダクト
【図１】
0003644533.tif 000002
【図２】
0003644533.tif 000003
【図３】
0003644533.tif 000004
【図４】
0003644533.tif 000005
【図５】
0003644533.tif 000006
【図６】
0003644533.tif 000007
【図７】
0003644533.tif 000008
【図８】
0003644533.tif 000009